(57)【要約】【課題】あるリモートコントローラと対応関係にある室内機を視認し易くする。【解決手段】この発明にかかる空気調和システムは、照合スイッチ（２０１，２０２，…，２０ｎ；２００）を有する少なくとも一つのリモートコントローラ（２１，２２，…，２ｎ；２０）と、リモートコントローラと通信し、自身に対応した照合スイッチが操作されて第１の態様で点滅する運転ランプ（１０１，１０２，…，１０ｎ）を有し、自身に対応したリモートコントローラによって動作が制御される室内機（１１，１１，…，１ｎ）とを備える。リモートコントローラが室内機毎に設けられる場合には、一のリモートコントローラの照合スイッチが操作されたときに、一のリモートコントローラに対応する室内機はその運転ランプを第１の態様で点滅させる。【選択図】図１
2008196828.tif 000002
【特許請求の範囲】
【請求項１】
照合スイッチ（２０１，２０２，…，２０ｎ；２００）を有する少なくとも一つのリモートコントローラ（２１，２２，…，２ｎ；２０）と、
前記リモートコントローラと通信し、自身に対応した前記照合スイッチが操作されて報知する報知手段（１０１，１０２，…，１０ｎ）を有し、自身に対応した前記リモートコントローラによって動作が制御される室内機（１１，１１，…，１ｎ）と
を備える、空気調和システム。
【請求項２】
前記リモートコントローラは前記室内機毎に設けられ、
一の前記リモートコントローラの前記照合スイッチが操作されたときに（Ｓ１１）、前記一の前記リモートコントローラに対応する前記室内機はその前記報知手段に報知させる（Ｓ１５）、請求項１記載の空気調和システム。
【請求項３】
前記報知手段はランプであって、
前記照合スイッチが操作されたときの報知は当該ランプの点滅であり、
前記照合スイッチが操作されなかったときに（Ｓ１１）、当該照合スイッチを有する前記リモートコントローラに対応する前記室内機は、運転中であればその前記ランプを点灯させ（Ｓ１４）、運転中でなければその前記ランプを消灯させる（Ｓ１３）、請求項２記載の空気調和システム。
【請求項４】
前記リモートコントローラは複数の前記室内機に対して設けられ、
前記リモートコントローラが一の前記室内機を指定し（Ｓ１０））、
前記室内機は、自身が指定され、かつ前記照合スイッチが操作されたときに（Ｓ１１）、その前記報知手段に報知させる（Ｓ１５）、請求項１記載の空気調和システム。
【請求項５】
前記報知手段はランプであって、
前記照合スイッチが操作されたときの報知は当該ランプの点滅であり、
前記照合スイッチが操作されなかったとき（Ｓ１１）と、自身が指定されなかったとき（Ｓ１０）、前記室内機は、運転中であれば前記ランプを点灯させ（Ｓ１４）、運転中でなければ前記ランプを消灯させる（Ｓ１３）、請求項４記載の空気調和システム。
【発明の詳細な説明】
【技術分野】
【０００１】
この発明は空気調和システムに関し、特に室内機とリモートコントローラとの対応関係を示す技術に関する。
【背景技術】
【０００２】
複数の室内機及びこれらを操作するリモートコントローラが設けられている空気調和システムがある。斯かる空気調和システムにおいて、ある室内機の空気調和の制御を行いたい場合、どのリモートコントローラを用いてよいかがわかりにくい場合がある。そのため、どの室内機に対してどのリモートコントローラから空気調和の制御を行えるかの関係、（以下「室内機とリモートコントローラとの対応関係」あるいは単に「対応関係」ともいう）を示すことが望まれていた。
【０００３】
なお、空気調和機とリモートコントローラとの間での対応をとるカスタムコードの不一致を表示する技術としては、特許文献１を例示できる。
【０００４】
【特許文献１】特開平７−１９５８２号公報
【発明の開示】
【発明が解決しようとする課題】
【０００５】
室内機とリモートコントローラとの対応関係を示すため、それぞれのリモートコントローラにおいて、当該リモートコントローラによって制御が行われる室内機の位置を示す名札を張り付けることも考えられる。
【０００６】
しかしながらこのような名札では室内機の位置を文章で正確に表示することは困難である。また配置図を用いて表示できたとしても、その表示に対応する室内機が実際に何処に位置しているのかを視認するためには、配置図と実際の室内とを見比べなければならない。
【０００７】
そこでこの発明では、あるリモートコントローラと対応関係にある室内機を認識し易くすることを目的とする。
【課題を解決するための手段】
【０００８】
この発明にかかる空気調和システムは、照合スイッチ（２０１，２０２，…，２０ｎ；２００）を有する少なくとも一つのリモートコントローラ（２１，２２，…，２ｎ；２０）と、前記リモートコントローラと通信し、自身に対応した前記照合スイッチが操作されて報知する報知手段（１０１，１０２，…，１０ｎ）を有し、自身に対応した前記リモートコントローラによって動作が制御される室内機（１１，１１，…，１ｎ）とを備える。
【０００９】
前記リモートコントローラが前記室内機毎に設けられる場合には、一の前記リモートコントローラの前記照合スイッチが操作されたときに（Ｓ１１）、前記一の前記リモートコントローラに対応する前記室内機はその前記報知手段に報知させる（Ｓ１５）。
【００１０】
望ましくは、前記報知手段はランプであって、前記照合スイッチが操作されたときの報知は当該ランプの点滅であり、前記照合スイッチが操作されなかったときに（Ｓ１１）、当該照合スイッチを有する前記リモートコントローラに対応する前記室内機は、運転中であればその前記ランプを点灯させ（Ｓ１４）、運転中でなければその前記ランプを消灯させる（Ｓ１３）。
【００１１】
前記リモートコントローラが複数の前記室内機に対して設けられる場合には、前記リモートコントローラが一の前記室内機を指定し（Ｓ１０）、前記室内機は、自身が指定され、かつ前記照合スイッチが操作されたときに（Ｓ１１）、その前記報知手段に報知させる（Ｓ１５）。
【００１２】
望ましくは、前記報知手段はランプであって、前記照合スイッチが操作されたときの報知は当該ランプの点滅であり、前記照合スイッチが操作されなかったとき（Ｓ１１）と、自身が指定されなかったとき（Ｓ１０）、前記室内機は、運転中であれば前記ランプを点灯させ（Ｓ１４）、運転中でなければ前記ランプを消灯させる（Ｓ１３）。
【発明の効果】
【００１３】
リモートコントローラにおいて照合スイッチを操作することにより、当該リモートコントローラと対応関係にある室内機の報知手段が報知するので、当該リモートコントローラと対応関係にある室内機を認識し易い。
【発明を実施するための最良の形態】
【００１４】
第１の実施の形態．
図１はこの発明の第１の実施の形態にかかる空気調和システムの構成を例示するブロック図である。室内機１１，１２，…，１ｎと、当該室内機毎に設けられるリモートコントローラ２１，２２，…，２ｎが備えられている。これらは一対一で対応関係にあり、これらの間では通信が行われる。室内機１ｋの制御はリモートコントローラ２ｋによってのみ行われる（ｋ＝１，２，…、ｎ）。
【００１５】
リモートコントローラ２ｋはそれぞれ照合スイッチ２０ｋを有し、室内機１ｋは運転ランプ１０ｋを有している。
【００１６】
図２は第１の実施の形態において室内機１ｋにおいて運転ランプ１０ｋを点滅させるルーチンを示すフローチャートである。ステップＳ１１において、リモートコントローラ２ｋの照合スイッチ２０ｋが操作されたか否かが判断される。照合スイッチ２０ｋが操作されたときには、対応する室内機１ｋの運転ランプ１０ｋが点滅する。
【００１７】
照合スイッチ２０ｋが操作されていないときには、ステップＳ１２において対応する室内機１ｋが運転中であるか否かが判断される。運転中でなければステップＳ１３に処理が進み、運転ランプ１０ｋは消灯させられている。運転中であればステップＳ１４に処理が進み、運転ランプ１０ｋを点灯させる。
【００１８】
このような照合スイッチや運転ランプの構成は、リモートコントローラによる通常の空気調和機の制御において、当業者に容易に付加可能であり、また上記のルーチンも同様にして容易に実行できる。
【００１９】
以上のようにして、リモートコントローラにおいて照合スイッチを操作することにより、当該リモートコントローラと対応関係にある室内機が点滅するので、当該リモートコントローラと対応関係にある室内機が視認し易い。
【００２０】
また運転ランプは、対応関係についての視認をし易くする機能のみならず、照合スイッチが操作されない状態において運転中であるか否かを示すパイロットランプとしての機能（点灯／消灯）も兼用することができる。
【００２１】
第２の実施の形態．
図３はこの発明の第２の実施の形態にかかる空気調和システムの構成を例示するブロック図である。室内機１１，１２，…，１ｎと、これらの室内機に対して設けられた集中管理コントローラ２０とが備えられている。集中管理コントローラ２０はリモートコントローラの一種であり、室内機１１，１２，…，１ｎを集中的かつ個別に制御する。
【００２２】
即ち集中管理コントローラ２０はそれ一つで、室内機１１，１２，…，１ｎの各々を指定して空気調和を制御する。各々の室内機への指定は例えば集中管理コントローラ２０からのアドレスの付与によって実現される。集中管理コントローラ２０は照合操作パネル２００を有しており、ここの操作によってアドレスの付与及び、第１の実施の形態の照合スイッチ２０ｋの操作に相当する照合操作が行われる。
【００２３】
図４は第２の実施の形態において室内機１ｋにおいて運転ランプ１０ｋを点滅させるルーチンを示すフローチャートである。図４に示されたフローチャートは、図２に示されたステップＳ１をステップＳ１１に置換した構成を採用している。
【００２４】
ステップＳ１はステップＳ１０と、図２に示されたステップＳ１１とを含んでいる。ステップＳ１０において室内機１０ｋは、集中管理コントローラ２０が当該室内機を指定したか否かを判断する。具体的には、室内機１ｋが集中管理コントローラ２０からアドレスを受信し、受信したアドレスが自身を指定するか否かを判断する。そして当該判断結果が肯定的な場合にはステップＳ１１へと進み、集中管理コントローラ２０によって、第１の実施の形態の照合スイッチ２０ｋの操作に相当する照合操作が行われたか否かを判断する。その後、第１の実施の形態と同様にしてステップＳ１２，Ｓ１３，Ｓ１４，Ｓ１５の処理を行う。
【００２５】
ステップＳ１０における判断結果が否定的な場合には、照合スイッチが操作されていない場合と同様にして、ステップＳ１２へと処理が進む。
【００２６】
以上のような処理により、集中管理コントローラ２０から指定された室内機１ｋは、第１の実施の形態と同様にして奏功する。指定されていない室内機では、照合スイッチが操作されていない場合と同様にして運転中か否かが運転ランプによって示される。
【００２７】
なお、上述の実施の形態では、室内機が照合スイッチ２０ｋの操作によって照合結果を示す手段が、運転ランプと兼用される場合を例示した。しかし照合結果を報知する報知手段として、他の態様を採用してもよい。例えばステップＳ１５（図２、図４参照）において、運転ランプの点滅に代替して音響を発生する報知手段を、運転ランプの有無に依らずに設けてもよい。例えばこの報知手段は運転ランプ１０ｋと並べて配置してもよいし、これと離して室内機１ｋに設けてもよい。このような音響による報知は、特に、図３に例示された室内機１１，１２，…，１ｎが相互に異なる部屋に配置され、視認がしにくい場合に好適である。
【図面の簡単な説明】
【００２８】
【図１】この発明の第１の実施の形態にかかる空気調和システムの構成を例示するブロック図である。
【図２】第１の実施の形態において室内機において運転ランプを点滅させるルーチンを示すフローチャートである。
【図３】この発明の第２の実施の形態にかかる空気調和システムの構成を例示するブロック図である。
【図４】第２の実施の形態において室内機において運転ランプを点滅させるルーチンを示すフローチャートである。
【符号の説明】
【００２９】
１０１，１０２，…，１０ｎ  運転ランプ
１１，１１，…，１ｎ  室内機
２０  集中管理コントローラ
２００  照合操作パネル
２０１，２０２，…，２０ｎ  照合スイッチ
２１，２２，…，２ｎ  リモートコントローラ
【図１】
2008196828.tif 000003
【図２】
2008196828.tif 000004
【図３】
2008196828.tif 000005
【図４】
2008196828.tif 000006